(57)【特許請求の範囲】
【請求項１】
熱源機で加熱生成された湯を浴槽に設けられた洗浄ノズルへ導く洗浄出湯管路と、洗浄出湯管路からの湯の導出量を調整可能な湯量調整部と、洗浄液を貯留可能な洗浄液タンクと、洗浄液タンク内の洗浄液を洗浄出湯管路へ導く洗浄液混合管路と、洗浄液混合管路から洗浄出湯管路への洗浄液の導出量を調整可能な洗浄液量調整部とを備えた浴槽洗浄装置であって、
洗浄出湯管路から分岐して配設され、洗浄出湯管路に供給される湯を浴槽給湯口へ導く湯張り出湯管路と、
洗浄出湯管路から湯張り出湯管路への湯の流通を遮断可能な流路切替部とを備え、
洗浄出湯管路における湯張り出湯管路との分岐部より下流側には通水を遮断可能な開閉弁が設けられず、湯張り出湯管路に、前記流路切替部として通水を遮断可能な開閉弁が設けられた、浴槽洗浄装置。
【請求項２】
請求項１に記載の浴槽洗浄装置において、
給水配管から洗浄出湯管路へ水を導く温調給水管路と、
給水配管から洗浄出湯管路に供給される水量を調整可能な水量調整部と、
洗浄出湯管路に供給される湯と水との混合割合を湯量調整部および水量調整部によって調整する温調制御手段とを備えた、浴槽洗浄装置。
【発明の詳細な説明】
【技術分野】
【０００１】
本発明は、風呂システムに組み込まれ、給湯器で加熱生成された湯を洗浄液と混合して、浴槽に設けられた洗浄ノズルから浴槽内に噴射させる浴槽洗浄装置に関する。
【背景技術】
【０００２】
従来、設定量の湯を浴槽に供給する湯張り機能と、洗浄ノズルから浴槽内へ湯や洗浄液を噴射させて浴槽の内壁面に付着した汚れを洗い落とす浴槽洗浄機能とを備えた風呂システムが知られている（例えば、特許文献１から４参照）。
【０００３】
図５に示すように、湯張り機能および浴槽洗浄機能を備えた上記従来の風呂システムは、浴槽金具１１および洗浄ノズル１２を備えた浴槽１と、バーナ２１および熱交換器２２を備えた給湯器２と、給湯器２で加熱生成された湯を洗浄液と混合して浴槽１の洗浄ノズル１１に供給する浴槽洗浄装置８と、湯張り運転を指示する湯張りスイッチ５１や浴槽洗浄運転を指示する浴槽洗浄スイッチ５２など複数の操作スイッチを有する給湯操作端末５とで構成されており、浴槽金具１１は、往き配管Ｌ４を介して給湯器２の湯張り用バイパス管路２３に繋がっている。また、湯張り用バイパス管路２３は、熱交換器２２と給湯配管Ｌ２とを繋ぐ給湯器２内の出湯管路から分岐し、往き配管Ｌ４に繋がっている。洗浄ノズル１２は、洗浄配管Ｌ６を介して浴槽洗浄装置８の出湯管路８１の下流端に繋がっている。一方、浴槽洗浄装置８の出湯管路８１の上流端は、給湯配管Ｌ２に繋がっている。
【０００４】
給湯器２の湯張り用バイパス管路２３には、熱交換器２２から往き配管Ｌ４への湯の供給を遮断可能なバイパス開閉弁２４が設けられている。また、給湯器２には、熱交換器２２への通水が開始された場合に、バーナ２１を点火して熱交換器２２内の湯水を加熱し、給湯配管Ｌ２に所定温度の湯を送り出す給湯運転や、給湯操作端末５により湯張り運転開始の指示がなされた場合に、バイパス開閉弁２４を開き、熱交換器２２から往き配管Ｌ４への通水を開始させる湯張り運転を実行する給湯制御回路２Ｃが組み込まれている。
【０００５】
浴槽洗浄装置８は、洗浄液を貯留可能な洗浄液タンク９０を備えている。また、洗浄液タンク９０は、洗浄液混合管路９１を介して出湯管路８１に合流接続されている。さらに、洗浄液混合管路９１には、洗浄液タンク９０から出湯管路８１への洗浄液の供給を遮断可能な洗浄液開閉弁９２が設けられ、出湯管路８１には、給湯器２から出湯管路８１への湯の供給を遮断可能な出湯開閉弁９５と、出湯管路８１から洗浄ノズル１２への湯の導出量を調整可能な湯量調整弁９７とが設けられている。
【０００６】
また、浴槽洗浄装置８には、給湯操作端末５により浴槽洗浄運転開始の指示がなされた場合に、出湯開閉弁９５を開き且つ湯量調整弁９７の開度を調整し、給湯配管Ｌ２から出湯管路８１への通水を開始させると共に、洗浄液開閉弁９２を開いて洗浄液混合管路９１から出湯管路８１へ洗浄液を導入する浴槽洗浄運転を実行する洗浄制御回路８Ｃが組み込まれている。
【先行技術文献】
【特許文献】
【０００７】
【特許文献１】特開平４−２７０８５８号公報
【特許文献２】特開平１０−２６７４０１号公報
【特許文献３】特開２００７−２９８２５０号公報
【特許文献４】特開２０１１−２４９４３号公報
【発明の概要】
【発明が解決しようとする課題】
【０００８】
ところで、近年、総合病院や介護施設などでは、従業者の労働負担の軽減を図るべく、上記のような湯張り機能および浴槽洗浄機能を備えた風呂システムの導入の要望が高まっている。しかしながら、このような大型施設の場合、要求に応じて速やかに各温水利用先へ所望温度の湯を供給できるよう、施設内の給湯配管に対して給湯器から常に一定温度の湯を循環供給させておく所謂即湯式の給湯システムが広く導入されており、給湯器に湯張り運転を実行する機能までは搭載されていない。そのため、上記従来の風呂システムを導入する場合は、既設の給湯器の取り替えも必要であった。
【０００９】
本発明は、上記課題を鑑みてなされたものであり、その目的は、湯張り機能および浴槽洗浄機能を備えた風呂システムを既設の給湯器を用いて構築可能な、汎用性の高い浴槽洗浄装置を提供することにある。
【課題を解決するための手段】
【００１０】
本発明は、熱源機で加熱生成された湯を浴槽に設けられた洗浄ノズルへ導く洗浄出湯管路と、洗浄出湯管路からの湯の導出量を調整可能な湯量調整部と、洗浄液を貯留可能な洗浄液タンクと、洗浄液タンク内の洗浄液を洗浄出湯管路へ導く洗浄液混合管路と、洗浄液混合管路から洗浄出湯管路への洗浄液の導出量を調整可能な洗浄液量調整部とを備えた浴槽洗浄装置であって、洗浄出湯管路から分岐して配設され、洗浄出湯管路に供給される湯を浴槽給湯口へ導く湯張り出湯管路と、洗浄出湯管路から湯張り出湯管路への湯の流通を遮断可能な流路切替部とを備え、洗浄出湯管路における湯張り出湯管路との分岐部より下流側には通水を遮断可能な開閉弁が設けられず、湯張り出湯管路に、前記流路切替部として通水を遮断可能な開閉弁が設けられたものである。
【００１１】
このものでは、浴槽洗浄装置にて、熱源機で加熱生成された湯を洗浄液タンクの洗浄液と共に洗浄出湯管路を介して洗浄ノズルに供給する浴槽洗浄運転や、熱源機で加熱生成された湯を洗浄出湯管路から湯張り出湯管路を介して浴槽給湯口に供給する湯張り運転を行うことができるから、湯張り運転を実行する機能まで搭載されていない既設の給湯器を用いても、湯張り機能および浴槽洗浄機能を備えた風呂システムを構築できる。
しかも、このものでは、洗浄出湯管路における湯張り出湯管路との分岐部より下流側には開閉弁を設けないで、洗浄出湯管路から分岐する湯張り出湯管路に開閉弁を設け、上記開閉弁を開くことで、洗浄出湯管路に供給される湯が浴槽給湯口側へ導かれるように構成されているから、洗浄出湯管路に供給される湯を湯張り出湯管路へ導く流路切替部として、洗浄出湯管路と湯張り出湯管路との分岐部に三方分岐弁を設けるのに比べて、浴槽洗浄装置全体の構造を簡素化できる。
【００１２】
好ましくは、上記浴槽洗浄装置において、給水配管から洗浄出湯管路へ水を導く温調給水管路と、給水配管から洗浄出湯管路に供給される水量を調整可能な水量調整部と、洗浄出湯管路に供給される湯と水との混合割合を湯量調整部および水量調整部によって調整する温調制御手段とを備える。
【００１３】
このものでは、熱源機から供給される湯と、給水配管から供給される水との混合割合を調整して浴槽給湯口や洗浄ノズルに供給することができるから、出湯温を自在に変更できない簡素な構成の給湯器やソーラ温水器などの熱源機を用いても、湯張り機能および浴槽洗浄機能を備えた風呂システムを構築できる。
【発明の効果】
【００１６】
以上のように、本発明によれば、既設の給湯器を用いて湯張り機能および浴槽洗浄機能を備えた風呂システムを構築可能な、汎用性の高い浴槽洗浄装置を提供することが可能である。
【図面の簡単な説明】
【００１７】
【図１】図１は、本発明の実施の形態に係る浴槽洗浄装置を用いた風呂システムの概略構成図である。
【図２】図２は、本発明の実施の形態に係る浴槽洗浄装置の作動フローチャートである。
【図３】図３は、本発明の他の実施形態１に係る浴槽洗浄装置を用いた風呂システムの概略構成図である。
【図４】図４は、本発明の他の実施形態２に係る浴槽洗浄装置を用いた風呂システムの概略構成図である。
【図５】図５は、従来の風呂システムの概略構成図である。
【発明を実施するための形態】
【００１８】
次に、上記した本発明を実施するための形態について、添付図面を参照しながら詳述する。
【００１９】
図１に示すように、本発明の実施の形態に係る浴槽洗浄装置３を用いて構築される風呂システムは、浴槽金具１１および洗浄ノズル１２を備えた浴槽１と、バーナ２１および熱交換器２２を備えた熱源機としての給湯器２と、給湯器２で加熱生成された湯を洗浄液と混合して浴槽１の洗浄ノズル１２に供給する浴槽洗浄装置３と、浴槽洗浄装置３の動作を設定指示する洗浄湯張り操作端末５とで構成されている。尚、本実施の形態では、給湯器２に給湯操作端末７が接続され、給湯操作端末７によって給湯器２の運転開始や出湯温の設定を指示することができるが、出湯温を任意に変更できない温度固定の給湯器やソーラ温水器などの熱源機を、本発明の実施の形態に係る浴槽洗浄装置３と共に用いて風呂システムを構築してもよい。
【００２０】
浴槽１の浴槽金具１１は、浴槽１の側壁内側に設けられており、湯張り配管Ｌ５を介して浴槽洗浄装置３の湯張り出湯管路３２に接続されている。一方、洗浄ノズル１２は、浴槽１の底壁内側に設けられており、洗浄配管Ｌ６を介して浴槽洗浄装置３の洗浄出湯管路３１に接続されている。また、浴槽１の底壁内側には、図示しない排水栓駆動部により開閉される自動排水栓１３が設けられている。
【００２１】
尚、洗浄ノズル１２の噴射口は、浴槽１の内壁面へ向けて放射状に湯を放出するように形成されている。また、本実施の形態では、湯張り運転の際、浴槽金具１１から浴槽１内へ湯が供給されるように構成されているが、浴槽金具１１を備えておらず、浴槽１の近傍に設けられたカランに湯張り出湯管路３２が接続されており、上記カランが浴槽１の給湯口となるように構成されたものとしてもよい。
【００２２】
給湯器２の熱交換器２２の水入口は、給水配管Ｌ１を介して上水道に繋がっている。一方、熱交換器２２の湯出口は、給湯配管Ｌ２を介してカランやシャワーなどの温水利用先Ｋに繋がっている。また、図示しないが、熱交換器２２の水入口と給水配管Ｌ１とを繋ぐ給湯器２内の入水管路には、通水量を検出する水量センサが設けられている。
【００２３】
また、図示しないが、給湯器２には、上記水量センサによって熱交換器２２への所定量の通水が検出された場合に、バーナ２１を点火して熱交換器２２に供給される水を加熱し、給湯用操作端末７により設定された出湯温の湯を給湯配管Ｌ２に送り出す給湯運転を実行する給湯制御回路が組み込まれている。
【００２４】
本発明の実施の形態に係る浴槽洗浄装置３は、給湯器２から給湯配管Ｌ２に導出された湯を洗浄配管Ｌ６へ導く洗浄出湯管路３１と、給湯配管Ｌ２から洗浄出湯管路３１に供給される湯を湯張り配管Ｌ５へ導く湯張り出湯管路３２と、洗浄液を貯留可能な洗浄液タンク４０と、洗浄液タンク４０内の洗浄液を洗浄出湯管路３１へ導く洗浄液混合管路４１とを備えており、洗浄出湯管路３１の上流端に給湯配管Ｌ２が接続され、下流端に洗浄配管Ｌ６が接続されている。
【００２５】
洗浄液混合管路４１は、洗浄液タンク４０から洗浄出湯管路３１への洗浄液の導出を遮断可能な洗浄液量調整部としての洗浄液開閉弁４２を備えており、下流端が洗浄出湯管路３１の中間部に合流接続されている。
【００２６】
湯張り出湯管路３２の上流端は、洗浄出湯管路３１の中間部における洗浄液混合管路４１の合流部３３より上流側に合流接続されている。また、湯張り出湯管路３２と洗浄出湯管路３１との合流部３４には、給湯配管Ｌ２から洗浄出湯管路３１に供給される湯を洗浄配管Ｌ６側と湯張り配管Ｌ５側とに切り替えて導出可能な流路切替部としての洗浄湯張り切替弁４３が配設されている。
【００２７】
洗浄出湯管路３１における洗浄湯張り切替弁４３の上流側には、洗浄出湯管路３１における洗浄液や湯の逆流を防止するための逆流防止弁４４と、洗浄出湯管路３１から湯張り配管Ｌ５或いは洗浄配管Ｌ６への湯の供給を遮断可能な出湯開閉弁４５と、洗浄出湯管路３１を流れる湯量を検出する湯量センサ４６と、洗浄出湯管路３１から湯張り配管Ｌ５或いは洗浄配管Ｌ６への湯の導出量を調整可能な湯量調整部としての湯量調整弁４７とが、下流側よりこの順序で配設されている。
【００２８】
浴槽洗浄装置３には、浴槽洗浄装置３の動作を制御する洗浄湯張り制御回路３Ｃが組み込まれている。洗浄湯張り制御回路３Ｃは、洗浄湯張り切替弁４３の流路の切り替えを行う運転切替制御部、出湯開閉弁４５の開閉や湯量調整弁４７の開度の調整を行う出湯制御部、洗浄液開閉弁４２の開閉を行う洗浄液供給制御部、自動排水栓１３の開閉を行う排水制御部、出湯開閉弁４５の開時間や洗浄液開閉弁４２の開時間、自動排水栓１３の開時間（排水時間）を計測する計時部、湯量センサ４６の検知水量の積算値に基づいて湯張り配管Ｌ５への湯の供給量（湯張り量）を判定する湯張り量判定部等の回路構成を有している。
【００２９】
さらに、洗浄湯張り制御回路３Ｃは、洗浄湯張り操作端末５の操作状態を監視する操作判定部、洗浄湯張り操作端末５により湯張り運転開始の指示がなされた場合に、給湯配管Ｌ２から湯張り配管Ｌ５側への通水を開始させる湯張り運転の実行部、洗浄湯張り操作端末５により浴槽洗浄運転開始の指示がなされた場合に、給湯配管Ｌ２から洗浄配管Ｌ６側への通水を開始させると共に、洗浄液混合管路４１から出湯管路３１へ洗浄液を適宜導入する浴槽洗浄運転の実行部等の回路構成を有している。尚、後述する湯張り運転における浴槽１へ湯張り量や浴槽洗浄運転における洗浄工程の繰り返し回数（洗浄回数）は、洗浄湯張り操作端末５を用いて使用者が任意に設定変更することができる。
【００３０】
洗浄湯張り操作端末５は、運転スイッチ５０、湯張り運転の開始を指示する湯張りスイッチ５１、浴槽洗浄運転の開始を指示する浴槽洗浄スイッチ５２、浴槽洗浄運転における洗浄モードを選択設定するためのモード切替スイッチ５３、湯張り量や洗浄回数などの設定を加減するための加減スイッチ５４等を備えている。
【００３１】
また、洗浄湯張り操作端末５は、浴槽洗浄装置３の運転状態や設定された動作条件などを表示する表示部５５と、湯張り運転や浴槽洗浄運転が終了したことを音声にて報知する音声出力部５６とを備えている。
【００３２】
上記風呂システムの湯張り運転および浴槽洗浄運転時の制御動作を、図２のフローチャートに従って説明する。尚、以下の湯張り運転および浴槽洗浄運転を行うにあたって、給湯操作端末７にて運転指示操作が行われると、給湯器２が給湯待機状態となる。一方、洗浄湯張り操作端末５の運転スイッチ５０のオン操作がなされ、浴槽洗浄装置３の運転が指示されると、洗浄湯張り制御回路３Ｃの主制御プログラムが起動し、湯張り運転や浴槽洗浄運転が実行可能な状態となる。
【００３３】
運転スイッチ５０のオン操作がなされた後、浴槽洗浄スイッチ５２のオン操作がなされず、湯張りスイッチ５１のオン操作がなされた場合は（ＳＴ２のステップでＹｅｓ）、自動排水栓１３を閉じると共に、洗浄湯張り切替弁４３を「湯張り側」に切り替えて、湯量調整弁４７を湯張り時の設定開度に調整し、さらに出湯開閉弁４５を開く。これにより、給湯配管Ｌ２から湯張り配管Ｌ５へ繋がる湯張り用の出湯経路が開通される（ＳＴ１〜ＳＴ４）。
【００３４】
上記湯張り用の出湯経路が開通されると、給水配管Ｌ１から給湯器２の熱交換器２２への通水が開始される。そして、給湯器２にて水量センサの検出水量が所定量以上になれば、バーナ２１が点火される。これにより、給湯器２から上記湯張り用の出湯経路を通じて浴槽金具１１へ所定温度の湯が供給され、次第に浴槽１内に貯留されていく（ＳＴ５）。
【００３５】
ＳＴ５のステップの湯張り運転が開始されてから、湯量センサ４６の検知水量の積算値が洗浄湯張り操作端末５にて予め設定された湯張り量に達すれば（ＳＴ６のステップでＹｅｓ）、湯張り運転が完了したことを表示部５５に表示させると共に、音声出力部５６から音声にて報知し、湯張り運転を終了する（ＳＴ６〜ＳＴ７）。
【００３６】
一方、運転スイッチ５０のオン操作がなされた後、浴槽洗浄スイッチ５２のオン操作がなされた場合は（ＳＴ１のステップでＹｅｓ）、自動排水栓１３を開き、浴槽１内に溜まった湯を排出させる（ＳＴ８）。
【００３７】
そして、自動排水栓１３を開いてから予め設定された排水時間が経過すれば（ＳＴ９のステップでＹｅｓ）、洗浄湯張り切替弁４３を「洗浄側」に切り替えて、湯量調整弁４７を洗浄時の設定開度に調整し、さらに出湯開閉弁４５を開く。これにより、給湯配管Ｌ２から洗浄配管Ｌ６へ繋がる浴槽洗浄用の出湯経路が開通される（ＳＴ９〜ＳＴ１０）。
【００３８】
尚、上記排水時間は、洗浄湯張り操作端末５により使用者が所定の範囲内（例えば、０分、５分、１０分、２０分）で任意に設定変更できる。このように、浴槽１内に残留した湯量に基づいて使用者が排水時間を設定することで、浴槽洗浄運転に要する時間を短縮できる。
【００３９】
上記浴槽洗浄用の出湯経路が開通されると、給水配管Ｌ１から給湯器２の熱交換器２２への通水が開始される。そして、給湯器２にて水量センサの検出水量が所定量以上になれば、バーナ２１が点火される。これにより、給湯器２から上記浴槽洗浄用の出湯経路を通じて洗浄ノズル１２へ所定温度の湯が供給され、浴槽１の内壁面へ向けて噴射される（ＳＴ１１）。
【００４０】
本実施の形態では、ＳＴ１１のステップの浴槽洗浄運転として、湯のみを所定時間噴射させる「予洗い工程」を行った後、洗浄液を湯に混合して所定時間噴射させる「洗浄工程」を所定回数（例えば、３回）行い、さらに湯のみを所定時間噴射させる「すすぎ工程」を行うように構成されている。また、上記洗浄工程を繰り返す回数、即ち、洗浄回数は、浴槽洗浄運転が開始される前に、洗浄湯張り操作端末５によって使用者が予め所定の範囲内（例えば、１〜５回）で任意に設定変更することができる。
【００４１】
そして、上記浴槽洗浄運転の全工程が終了すれば（ＳＴ１２のステップでＹｅｓ）、浴槽洗浄運転が完了したことを表示部５５に表示させると共に、音声出力部５６から音声にて報知する（ＳＴ１２〜ＳＴ１３）。
【００４２】
また、浴槽洗浄運転が終了するまでの間に、湯張りスイッチ５１のオン操作がなされている場合は（ＳＴ１４のステップでＹｅｓ）、浴槽洗浄運転が終了した後、引き続き上述したＳＴ３〜ＳＴ７のステップの湯張り運転を行う（ＳＴ１４，ＳＴ３〜ＳＴ７）。
【００４３】
このように、上記風呂システムでは、給湯器２で加熱生成された湯を洗浄出湯管路３１から湯張り出湯管路３２を介して浴槽金具１１に供給する湯張り運転と、給湯器２で加熱生成された湯を洗浄液と共に洗浄出湯管路３１を介して洗浄ノズル１２に供給する浴槽洗浄運転とを、浴槽洗浄装置３にて共に実行することができるから、上記給湯器２のように既設の給湯器が湯張り機能を備えていなくても、湯張り機能および浴槽洗浄機能を備えた風呂システムを構築できる。よって、汎用性が高い。
【００４４】
図３に示すように、浴槽洗浄装置３内に、給水配管Ｌ１から洗浄出湯管路３１へ水を導く温調給水管路３５が配設され、さらに温調給水管路３５には、給水配管Ｌ１から洗浄出湯管路３１に供給される水量を調整可能な水量調整部としての水量調整弁４８が設けられ、洗浄出湯管路３１に設けられた湯量調整弁４７および上記水量調整弁４８によって、湯張り配管Ｌ５或いは洗浄配管Ｌ６へ導出する湯と水との混合割合を調整可能な構成としたものであってもよい。
【００４５】
詳述すると、温調給水管路３５は、上流端が給水配管Ｌ１に接続され、下流端が洗浄出湯管路３１の中間部における湯量センサ４６の上流側で且つ湯量調整弁４７の下流側の位置に合流接続されている。また、洗浄出湯管路３１における湯量調整弁４７の上流側には、給水配管Ｌ１から給湯配管Ｌ２へ水が逆流するのを防止するための逆流防止弁６７が設けられ、温調給水管路３５における水量調整弁４８の上流側には、給湯配管Ｌ２から給水配管Ｌ１へ湯が逆流するのを防止するための逆流防止弁６８が設けられている。
【００４６】
このように、洗浄出湯管路３１における湯量センサ４６の上流側には、給湯配管Ｌ２からの湯の導入量を調整可能な湯量調整弁４７と、給水配管Ｌ１からの水の導入量を調整可能な水量調整弁４８とからなる湯水混合弁３０が設けられており、上記湯水混合弁３０の各弁開度を調整することで、湯張り配管Ｌ５或いは洗浄配管Ｌ６への出湯温が適宜変更される。
【００４７】
このものでは、給湯器２から供給される湯と、給水配管Ｌ１から供給される水との混合割合を調整することで、例えば、湯張り時の出湯温度を４２℃、浴槽洗浄時の出湯温度を４８℃に設定するなど、浴槽金具１１から浴槽１内に供給される湯温（湯張り温度）や、洗浄ノズル１２から浴槽１内に噴射させる湯温（洗浄温度）を適宜変更することができるから、出湯温の設定機能を備えていない給湯器やソーラ温水器などの熱源機を用いても、湯張り機能および浴槽洗浄機能を備えた風呂システムを構築でき、汎用性が一層高い。
【００４８】
上記各実施の形態では、洗浄出湯管路３１と湯張り出湯管路３２との合流部３４に設けられた洗浄湯張り切替弁（三方分岐弁）４３によって、給湯配管Ｌ２から洗浄出湯管路３１に供給される湯を洗浄配管Ｌ６側と湯張り配管Ｌ５側とに切り替えて導出可能な構成としたものを説明したが、図４に示すように、洗浄湯張り切替弁４３に代えて、湯張り出湯管路３２における上記合流部３４の下流側に、洗浄出湯管路３１から湯張り出湯管路３２への湯の流通を遮断可能な湯張り開閉弁４９が配設され、上記湯張り開閉弁４９を開くことによって、給湯配管Ｌ２から洗浄出湯管路３１に供給される湯を湯張り配管Ｌ５側へ導出させ、閉じることによって、給湯配管Ｌ２から洗浄出湯管路３１に供給される湯を洗浄配管Ｌ６側へ導出させる構成としたものであってもよい。
【００４９】
このものでは、洗浄配管Ｌ６側と湯張り配管Ｌ５側との出湯流路の切り替えに、三方分岐弁よりも構造の簡素な開閉弁（湯張り開閉弁４９）が用いられているから、浴槽洗浄装置３全体の構造を簡素化できる。
【００５０】
尚、上記各実施の形態では、浴槽１に自動排水栓１３が設けられ、浴槽洗浄運転が終了した後、引き続き湯張り運転が自動で実行されるように構成されたものを説明したが、本発明は、手動の排水栓が設けられた浴槽１を用いて風呂システムを構築してもよい。この場合、湯張り運転と浴槽洗浄運転とは連動せず、それぞれ独立して実行される。即ち、浴槽洗浄運転が終了した時点でその旨を報知し、その後、使用者が手動で排水栓を閉じ、湯張り運転の開始を手動で指示すれば、湯張り運転に移行するように構成される。
【符号の説明】
【００５１】
１      浴槽
１１    浴槽金具（浴槽給湯口）
１２    洗浄ノズル
２      給湯器（熱源機）
２１    バーナ
２２    熱交換器
３      浴槽洗浄装置
３１    洗浄出湯管路
３２    湯張り出湯管路
４０    洗浄液タンク
４１    洗浄液混合管路
４２    洗浄液開閉弁（洗浄液調整部）
４３    洗浄湯張り切替弁（流路切替部）
４７    湯量調整弁（湯量調整部）
５      洗浄湯張り操作端末
Ｌ１    給水配管
Ｌ２    給湯配管
Ｌ５    湯張り配管
Ｌ６    洗浄配管
【図１】
0006688621.tif 000002
【図２】
0006688621.tif 000003
【図３】
0006688621.tif 000004
【図４】
0006688621.tif 000005
【図５】
0006688621.tif 000006